(57)【特許請求の範囲】
【請求項１】
複数の球受部と、前記複数の球受部の配置位置に対応して設けられる抑止受部とを有し、回転により遊技球を受ける受位置へと前記複数の球受部を順次移動させる回転球受部と、
前記抑止受部に対して当接することにより前記回転球受部を係止する一方、前記遊技球の荷重により前記回転球受部を回転させる複数の回転抑止部と
を有し、
前記複数の回転抑止部は、前記回転球受部が回転する場合に前記抑止受部によって変位させられるタイミングをずらす形状とされている
ことを特徴とする遊技機。
【請求項２】
前記遊技機は、パチンコ機であることを特徴とする請求項１に記載の遊技機。
【発明の詳細な説明】
【技術分野】
【０００１】
本発明は、弾球遊技機に代表される遊技機に関する。
【背景技術】
【０００２】
従来の典型的な遊技機において、左右に設けられた２つの誘導路に対して遊技球を交互に振り分ける振分機構として、遊技球の重みで傾斜方向が変化するシーソー構造を利用したものが知られている（例えば、特許文献１参照）。
【先行技術文献】
【特許文献】
【０００３】
【特許文献１】特開２００７−３１９３６１号公報
【発明の概要】
【発明が解決しようとする課題】
【０００４】
かかる構成の遊技機では、振分機構を構成する構造体の動きがパターン化されており、従来とは相違するパターンで遊技球を誘導したいという要求があった。
【０００５】
本発明はこのような問題を解決するためになされたもので、その目的は、従来とは相違するパターンで遊技球を誘導することができる遊技機を提供するものである。
【課題を解決するための手段】
【０００６】
かかる課題を解決するため、請求項１記載の発明は、
複数の球受部と、前記複数の球受部の配置位置に対応して設けられる抑止受部とを有し、回転により遊技球を受ける受位置へと前記複数の球受部を順次移動させる回転球受部と、
前記抑止受部に対して当接することにより前記回転球受部を係止する一方、前記遊技球の荷重により前記回転球受部を回転させる複数の回転抑止部と
を有し、
前記複数の回転抑止部は、前記回転球受部が回転する場合に前記抑止受部によって変位させられるタイミングをずらす形状とされている
ことを特徴とする。
【発明の効果】
【０００７】
本発明は、従来とは相違するパターンで遊技球を誘導することができる遊技機を実現できる。
【図面の簡単な説明】
【０００８】
【図１】遊技機の一例を表す斜視図である。
【図２】遊技機の一例を開放状態で表す斜視図である。
【図３】遊技機の一例を他の開放状態で表す斜視図である。
【図４】遊技機の一例を更に他の開放状態で表す斜視図である。
【図５】遊技機の一例を表す正面図である。
【図６】遊技盤の一例を表す正面図である。
【図７】遊技盤の一例を表す斜視図である。
【図８】遊技機の一例を表す背面図である。
【図９】遊技機の電気的な構成の一例を表すブロック図である。
【図１０】第１始動入賞装置の一例を示す斜視図である。
【図１１】第１始動入賞装置の部分分解図を示す斜視図である。
【図１２】前面カバー部材の説明に供する略線図である。
【図１３】右側及び左側誘導路（１）の説明に供する略線図である。
【図１４】右側及び左側誘導路（２）の説明に供する略線図である。
【図１５】後方誘導路の説明に供する略線図である。
【図１６】回転カムの構成（１）を示す斜視図である。
【図１７】回転カムの構成（２）を示す正面図である。
【図１８】回転カムの構成（３）を示す側面図である。
【図１９】カム保持部の説明に供する略線図である。
【図２０】回転カムの配置の説明に供する略線図である。
【図２１】板バネの配置（１）の説明に供する略線図である。
【図２２】板バネの配置（２）の説明に供する略線図である。
【図２３】回転カムと板バネの位置関係の説明に供する略線図である。
【図２４】境界部と板バネの位置関係の説明に供する略線図である。
【図２５】境界部への板バネの当接の説明に供する略線図である。
【発明を実施するための形態】
【０００９】
本発明の形態について図面を参照しながら詳細に説明する。ここでは、遊技機として弾球遊技機の一具体例を挙げて説明するが、本発明の主旨から逸脱しない限り適宜に設計が変更されてもよい。
【００１０】
本実施形態の遊技機１００について説明する。図１〜図４は遊技機１００の一例を表す斜視図であり、図１には遊技機１００の閉鎖状態が示され、図２には外枠１０１に対して前ブロック１０２及び中間ブロック１０３が一体的に開放されている状態が示され、図３には中間ブロック１０３に対して前ブロック１０２が開放されている状態が示され、図４には中間ブロック１０３に対して後ブロック１０４が開放されている状態が示されている。なお、図２〜図４において各種の配線は省略されており、また、図３において遊技盤４００の詳細な構成は省略されている。
【００１１】
遊技機１００は、図１〜図４に示されたように、外枠１０１と、前ブロック１０２と、中間ブロック１０３と、後ブロック１０４と、外枠１０１に対して中間ブロック１０３を開閉自在及び着脱自在に支持する中間ブロック支持機構と、中間ブロック１０３に対して前ブロック１０２を開閉自在及び着脱自在に支持する前ブロック支持機構と、中間ブロック１０３に対して後ブロック１０４を開閉自在及び着脱自在に支持する後ブロック支持機構とを備えている。
【００１２】
外枠１０１は、図２に示されたように、天板１１１、底板１１２、左側板１１３及び右側板１１４が組み付けられた略四辺形状の枠体であり、遊技機１００を設置する遊技ホールに設けられた遊技機設置設備（通称、「島設備」：図示せず）に嵌め込まれると共に固定具（図示せず）によって強固に固定される。外枠１０１は、更に、外枠１０１に対する中間ブロック１０３の閉鎖状態において中間ブロック１０３が載置される台座板１１５を備えている。天板１１１及び底板１１２は木材であり、左側板１１３及び右側板１１４は木材よりも剛性の高い金属材であり、台座板１１５は樹脂材である。
【００１３】
中間ブロック支持機構は、図１に示されたように、外枠１０１に設けられた上側軸受け構造体１２１及び下側軸構造体１２２と、中間ブロック１０３に設けられた上側軸構造体１２６及び下側軸受け構造体１２７とを備えており、上側軸構造体１２６及び下側軸構造体１２２が、それぞれ、上側軸受け構造体１２１及び下側軸受け構造体１２７に装着されることによって、中間ブロック１０３が外枠１０１に対して支持される。
【００１４】
前ブロック支持機構は、図１又は図３に示されたように、中間ブロック１０３に設けられた上側軸構造体１３１（図３のみ）及び下側軸構造体１３２（図１のみ）と、前ブロック１０２に設けられた上側軸受け構造体１３３（図３のみ）及び下側軸受け構造体１３４（図１のみ）とを備えており、上側軸受け構造体１３３及び下側軸受け構造体１３４が、それぞれ、上側軸構造体１３１及び下側軸構造体１３２に装着されることによって、前ブロック１０２が中間ブロック１０３に対して支持される。同様に、後ブロック支持機構は、図４に示されたように、中間ブロック１０３に設けられた上側軸受け構造体１３６及び下側軸受け構造体１３７（図７参照）と、前ブロック１０２に設けられた上側軸構造体１３８及び下側軸構造体１３９（図７参照）とを備えており、上側軸構造体１３８及び下側軸構造体１３９が、それぞれ、上側軸受け構造体１３６及び下側軸受け構造体１３７に装着されることによって、後ブロック１０４が中間ブロック１０３に対して支持される。
【００１５】
また、遊技機１００は、外枠１０１に対する中間ブロック１０３の開閉を規制する中間ブロック施錠機構と、中間ブロック１０３に対する前ブロック１０２の開閉を規制する前ブロック施錠機構と、中間ブロック施錠機構及び前ブロック施錠機構の開錠や閉錠を行うために操作される錠開閉操作機構とを備えている。図３に示されたように、中間ブロック１０３に設けられ、前ブロック１０２の開口１０２Ａを通して遊技機１００の前面側に露出している錠開閉操作機構のキーシリンダ１４１（図１も参照）に対する所定の操作キー（図示せず）による右回転操作に応じて、中間ブロック１０３に設けられた中間ブロック施錠機構の可動爪１４３が作動し、外枠１０１に設けられた中間ブロック施錠機構の固定爪１４２と中間ブロック１０３に設けられた中間ブロック施錠機構の可動爪１４３との係合が解除されて、中間ブロック１０３は外枠１０１に対して開閉許容状態となる。一方、キーシリンダ１４１に対する所定の操作キーによる左回転操作に応じて、中間ブロック１０３に設けられた前ブロック施錠機構の可動爪１４４と前ブロック１０２に設けられた前ブロック施錠機構の固定爪１４５との係合が解除されて、前ブロック１０２は中間ブロック１０３に対して開閉許容状態となる。
【００１６】
また、遊技機１００は、中間ブロック１０３に対する後ブロック１０４の開閉を規制する後ブロック開閉規制機構を備えている。後ブロック開閉規制機構は、図２及び図４に示されたように、３つの開閉規制部１５０Ａ〜１５０Ｃで構成され、それらの各々において、中間ブロック１０３に設けられ、後ブロック１０４に形成された開口１０４Ａを通して遊技機１００の背面側に突出している回動片１５１に対する回転操作に応じて、回動片１５１が開口１０４Ａを通過できない開閉禁止位置から回動片１５１が開口１０４Ａを通過できる開閉許容位置へ移動すると、中間ブロック１０３と回動片１５１とによる後ブロック１０４に形成された被挟持片１５２Ａ〜１５２Ｃの挟持が解除されて、後ブロック１０４は中間ブロック１０３に対して開閉許容状態となる。
【００１７】
また、遊技機１００は、中間ブロック１０３から前ブロック１０２への遊技球の移動を規制する遊技球移動規制機構を備えている。遊技球移動規制機構は、図３に示されたように、中間ブロック１０３に設けられ、前ブロック１０２側へ付勢された流下規制片１６１と、前ブロック１０２に設けられた規制変更突起１６２とを備えており、中間ブロック１０３から前ブロック１０２への遊技球の移動は、中間ブロック１０３に対する前ブロック１０２の閉鎖状態において流下規制片１６１が規制変更突起１６２により中間ブロック１０３側へ押圧された移動許容位置に位置することによって許容され、一方、中間ブロック１０３に対する前ブロック１０２の開放状態において流下規制片１６１が規制変更突起１６２による押圧が解除されて前ブロック１０２側へ突出する移動禁止位置に位置することによって禁止される。
【００１８】
また、遊技機１００は、前ブロック１０２における後述の中央パネル２２０と中間ブロック１０３における後述の遊技盤４００との間隔の一定性を厳密化する間隔規制機構を備えている。間隔規制機構は、図３に示されたように、中央パネル２２０に設けられ、前ブロック１０２の背面側において中間ブロック１０３と前ブロック１０２との開閉軸側に突出する突出片１７１と、中間ブロック１０３に設けられ、中間ブロック１０３の正面側においてその開閉軸側と反対側に突出する突出片１７２とを備えており、中間ブロック１０３に対する前ブロック１０２の閉鎖方向への移動に伴って突出片１７１が突出片１７２の後方側に入り込み、最終的に中間ブロック１０３に対する前ブロック１０２の閉鎖状態において突出片１７１の前面と突出片１７２の後面とが押圧状態で当接する。
【００１９】
また、遊技機１００は、図２に示されたように、外枠１０１に対して中間ブロック１０３が開放されているか閉鎖されているか否かを検出する開閉検出スイッチ１０８と、図３に示されたように、中間ブロック１０３に対して前ブロック１０２が閉鎖されているか否かを検出する開閉検出スイッチ１０９とを備えている。
【００２０】
前ブロック１０２は、図１及び図３に示されたように、開口２０１Ａ（図３のみ）を有する基枠２０１と、基枠２０１の前面側に設けられ、開口２０１Ａの一部に連通する開口２１０Ａ（図１のみ）を有する前面パネル２１０と、開口２０１Ａを塞ぐように基枠２０１の背面側に設けられた中央パネル２２０と、遊技球を貯留する主貯留機構２３０（図１のみ）と、遊技球を貯留する補助貯留機構２４０（図１のみ）と、主貯留機構２３０に貯留されている遊技球を順次に遊技盤４００（図３のみ）に発射するために遊技者によって操作される発射操作装置２５０（図１のみ）とを備えている。
【００２１】
前面パネル２１０は、図１に示されたように、開口２１０Ａの周縁の開口周縁部２１１と、開口周縁部２１１の下方において前方に突出し、主貯留機構２３０が配置される上側突出部２１７と、上側突出部２１７の下方において前方に突出し、補助貯留機構２４０が配置される下側突出部２１８と、下側突出部２１８の右方において概ね平坦であり、発射操作装置２５０が配置される平坦部２１９とを含んでいる。
【００２２】
中央パネル２２０は、図１又は図３に示されたように、基枠２０１の後方側から取着されるパネル枠２２１（図３のみ）と、パネル枠２２１に嵌め込まれた光透過性の前方板２２２（図１のみ）と、パネル枠２２１に前方板２２２と所定の間隙を隔てて略平行に嵌め込まれた光透過性の後方板２２３（図３のみ）とを備えている。なお、上述の間隔規制機構の突出片１７１は、パネル枠２２１と一体形成されている。
【００２３】
主貯留機構２３０は、図１に示されたように、遊技球の流入口２３１Ａ、流出口（図示せず）及び流出口より上流側に形成される放出口（図示せず）を有する貯留桶２３１と、放出口の開閉により貯留桶２３１から放出される遊技球の放出先を流出口と放出口との間で切り換える球抜き機構と、その球抜き機構を作動させる球抜き操作部材２３２とを備えている。遊技進行に応じて獲得した遊技球や後述する貸出操作装置２９２に対する貸出操作に応じて貸し出された遊技球は主に流入口２３１Ａを通して貯留桶２３１に流入し、貯留桶２３１に流入した遊技球は一列に整列させられながら流出口及び放出口の形成されている方向（図５中の右方）へ順次に案内される。球抜き操作部材２３２に対する球抜き操作（押下操作）が行われていない場合には遊技球は流出口を通して中間ブロック１０３における後述する発射装置３３０（図３参照）に誘導される。一方、球抜き操作部材２３２に対する球抜き操作が行われている場合には、遊技球は放出口を通して補助貯留機構２４０（図１参照）に誘導される。
【００２４】
補助貯留機構２４０は、図１又は図５に示されたように、遊技球の流入口２４１Ａ（図５のみ）及び放出口２４１Ｂを有する貯留桶２４１と、放出口２４１Ｂを開閉させる球抜き機構２４３と、その球抜き機構２４３を作動させる球抜き操作部材２４２とを備えている。遊技進行に応じて獲得した遊技球等は主に主貯留機構２３０に流入するが貯留桶２３１が満杯であれば流入口２４１Ａを通して貯留桶２４１に流入し、また、球抜き操作部材２３２に対する球抜き操作に応じて貯留桶２３１から誘導された遊技球は流入口２４１Ｃを通して貯留桶２４１に流入する。貯留桶２４１の底面は放出口２４１Ｂに向けてすり鉢上に傾斜しており、球抜き操作部材２４２に対する球抜き操作（右スライド操作）に応じた放出口２４１Ｂの開放によって、貯留桶２４１に貯留されている全ての遊技球を順次に遊技機１００の外部に放出できる。なお、球抜き操作部材２４２に対する球抜き操作によって放出口２４１Ｂが完全に開放された場合には、球抜き操作部材２４２に対する復帰操作（押圧操作又は微少な左スライド操作）がなされるまで、その状態に維持される。流入口２４１Ａの奥方には貯留桶２４１に過剰に遊技球が貯留されているか否かを検出する球溢れスイッチ２４９（図９参照）が設けられている。
【００２５】
発射操作装置２５０は、図１及び図５に示されたように、前面パネル２１０の平坦部２１９から前方に突出する台座２５１と、台座２５１の周囲に設けられた回動自在な発射ハンドル２５２と、発射ハンドル２５２の回転操作量を検出する可変抵抗器２５３（図９参照）と、発射ハンドル２５２に遊技者が接触していることを検出する接触センサ２５４（図９参照）と、遊技者によって操作され、発射ハンドル２５２の回転操作に伴う遊技球の射出を無効化する発射停止スイッチ２５５（図５のみ）とを含んでいる。遊技者による発射ハンドル２５２の回転操作に応じて、その回転操作量に対応する強度で発射装置３３０（図３参照）から遊技球が射出される。なお、接触センサ２５４によって発射ハンドル２５２と遊技者との接触が検出されていない場合や、発射停止スイッチ２５５の操作によって発射操作が無効化されている場合には、発射ハンドル２５２が回転操作されていても発射装置３３０から遊技球は射出されない。
【００２６】
前ブロック１０２は、基枠２０１に設けられ、前面パネル２１０の開口周縁部２１１の奥方に配置された発光装置群を備えており、発光装置群は、図５に示されたように、開口周縁部２１１における上方中央部２１１Ａ、上方中央部２１１Ａの左方の上方左角部２１１Ｂ、上方中央部２１１Ａの右方の上方右角部２１１Ｃ、上方左角部２１１Ｂの下方の左中間部２１１Ｄ及び上方右角部２１１Ｃの下方の右中間部２１１Ｅのそれぞれに対応して配置された上中央枠発光装置２７１、左上枠発光装置２７２、右上枠発光装置２７３、左中間枠発光装置２７４及び右中間枠発光装置２７５（図９参照）で構成されている。
【００２７】
また、前ブロック１０２は、基枠２０１に設けられ、前面パネル２１０の開口周縁部２１１の奥方に配置された音響装置２８０を備えており、音響装置２８０は、開口周縁部２１１に形成された左上音響出力口２１１Ｆ及び右上音響出力口２１１Ｇのそれぞれの奥方に配置された左上音響出力部２８１及び右上音響出力部２８２を備えている。
【００２８】
また、前ブロック１０２は、図１に示されたように、上側突出部２１７に設けられた遊技球貸出装置２９０を備えており、遊技球貸出装置２９０は、遊技機１００の側方に配置され遊技機１００の構成要素でないカードユニット（図示せず）に投入された紙幣やカード等の残額に応じた数値を表示する度数表示装置（図示せず）と、遊技球の貸し出しを受ける際に遊技者によって操作される貸出操作装置２９２と、カードユニットに投入された紙幣やカード等を返却させる際に遊技者によって操作される返却操作装置２９３とを含んでいる。カードユニットに紙幣やカード等の投入によってそれらの金額に対応する数値が度数表示装置に表示されている有効状態において貸出操作装置２９２に対して貸出操作が行われると、貸出操作に応じて所定の個数の遊技球が後ブロック１０４の払出装置５４０から貸し出され、遊技球の貸し出しに伴って度数表示装置の表示が更新される。一方、有効状態において返却操作装置２９３に対して返却操作が行われると、返却操作に応じて残額に対応する紙幣の等価物や残額を記録したカードがカードユニットから返却される。
【００２９】
中間ブロック１０３は、図３又は図４に示されたように、開口（図示せず）を有する基枠３０１と、基枠３０１の前面側に取着されて開口を覆う遊技盤４００（図３のみ）と、基枠３０１に対して遊技盤４００を回動自在及び着脱自在に支持する遊技盤支持機構と、基枠３０１に対して遊技盤４００の位置を固定する遊技盤固定機構と、遊技盤４００に遊技球を射出する発射装置３３０（図３のみ）と、遊技盤４００の背面側に設けられた取り付け台３６０（図４のみ）と、取り付け台３６０に装着された遊技進行を統括的に制御する主制御装置３７０（図４のみ）と、主制御装置３７０からの命令に基づいて遊技演出や状態報知を制御する副制御装置３９０（図４のみ）とを備えている。
【００３０】
基枠３０１には、払出装置５４０（図７参照）から放出された遊技球を前ブロック１０２に誘導する誘導通路３０１Ａや前ブロック１０２の基枠２０１に設けられた枠発光装置２７１〜２７５や音響装置２８０と主制御装置３７０や副制御装置３９０とを電気的に接続するための配線（図示せず）や信号中継装置（図示せず）が挿通される遊技盤４００の切り欠きに基づく開孔３０１Ｂが形成されている。
【００３１】
遊技盤４００は、図６に示されたように、排出口４０１Ａ等の各種の貫通孔を有する平板状の基体４０１と、基体４０１の左下から右上に亘り滑らかに湾曲し、後述する発射装置３３０から発射された遊技球を誘導する外レール４０２と、基体４０１の右下から左上に亘り滑らかに湾曲する内レール４０３と、内レール４０３の左上側の先端に取着され、外レール４０２及び内レール４０３が平行に対向する部分で形成される発射通路４０１Ｂから放出された遊技球が発射通路４０１Ｂに戻ることを防止する戻り球防止機構４０４と、外レール４０２の右上側の先端に取着され、遊技盤４００の中央を越えて左側に移動するような遊技球の大幅な反跳を防止する反跳防止部材４０５と、発射通路４０１Ｂを構成する部分の外レール４０２の外縁を保護する保護部材４０６とを備えている。図３に示されたように、発射装置３３０から発射通路４０１Ｂへ遊技球を誘導する誘導部材３３５と外レール４０２との間には間隙があり、発射装置３３０から発射されたが戻り球防止機構４０４を超えるに至らず発射通路４０１Ｂを逆戻りする遊技球は、基枠２０１に形成され、この間隙の下方に配置される戻り球通路２０１Ｂを介して流入口２４１Ｃ（図５参照）から補助貯留機構２４０（図５参照）に返却される。なお、概ね外レール４０２及び内レール４０３とで区画され、戻り球防止機構４０４を超えた遊技球が移動可能な略円形状の遊技領域に設けられる構造物については後述する。
【００３２】
遊技盤支持機構は、図３に示されたように、保護部材４０６に設けられた支軸部３１１と、基枠３０１に形成され、遊技盤４００の基体４０１の一部が載置される載置部３１２及び支軸部３１１と係合する軸受け部３１３とで構成され、遊技盤４００を回転自在かつ着脱自在に支持している。遊技盤４００が回動自在に支持されている場合において、所定の角度以上だけ回転させた後に、基体４０１における載置部３１２と当接する部位を支点として遊技盤４００を回転軸から傾けると、支軸部３１１と軸受け部３１３との係合が外れる。これによって、遊技盤４００を基枠３０１から離脱させることができる。逆に、遊技盤４００を基枠３０１に装着する場合には、遊技盤４００の所定の部位を載置部３１２に載置した後に、支軸部３１１を軸受け部３１３に係合させる。
【００３３】
遊技盤固定機構は、基枠３０１に設けられた３つの固定具３２０（図３において２つの固定具のみが図示されている）で構成され、それらの各々は、基枠３０１から前方に突出する回動自在な回転軸体（図示せず）と、回転軸体の先端に固着され、遊技盤４００の基体４０１に形成された切り欠き部４０１Ｃ（図６参照）を通して通過できない挿抜禁止姿勢と切り欠き部４０１Ｃを通して通過できる挿抜許容姿勢とをとる回動片３２２と、回動片３２２より後方に配置された押圧板（図示せず）と、回動片３２２が挿抜禁止姿勢である場合に押圧板を回動片３２２側に付勢する付勢体（図示せず）とを備えている。遊技盤４００が基枠３０１に固定されている着脱禁止状態において、回動片３２２は、切り欠き部４０１Ｃを通して基体４０１の前方に突出すると共に挿抜禁止姿勢となっており、基体４０１は、回動片３２２と押圧板とによって押圧状態で挟持されている。これによって、基枠３０１に対する遊技盤４００の前後方向の位置決めが正確に行えるために、誘導部材３３５から発射通路４０１Ｂへの遊技球の移動が阻害されることを防止できる。回動片３２２に対する回転操作に応じて、回動片３２２が挿抜禁止姿勢から回動片３２２が切り欠き部４０１Ｃを通過できる挿抜許容姿勢へ回転すると、付勢体からの押圧板の付勢が解除され、また、回動片３２２と押圧板とによる基体４０１の挟持が解除される。全ての固定具３２０の回動片３２２が挿抜許容姿勢である場合には、基枠３０１に対して遊技盤４００が回動自在になる。逆に、遊技盤４００を基枠３０１に固定する場合には、全ての固定具３２０の回動片３２２が挿抜許容姿勢である状態で、遊技盤４００を回転させて各回動片を切り欠き部４０１Ｃに挿通させた後に、全ての固定具３２０の回動片３２２を挿抜禁止姿勢に回転させる。
【００３４】
発射装置３３０は、図３に示されたように、主貯留機構２３０に貯留されている遊技球を順次に発射位置に送り出す球送り機構３３１と、球送り機構３３１を駆動する球送りソレノイド３３２（図９参照）と、発射位置に配置された遊技球を射出する発射機構３３３と、発射機構３３３を駆動する発射ソレノイド３３４（図９参照）と、発射機構３３３から発射された遊技球を遊技盤４００の発射通路４０１Ｂに誘導する誘導部材３３５とを備えている。発射装置３３０は、上述のように発射操作装置２５０に対する発射操作に応じて作動する。
【００３５】
取り付け台３６０は、支持機構を介して、基枠３０１に対して回動自在に支持されている。
【００３６】
主制御装置３７０は、図４に示されたように、主制御基板９２０（図９参照）と、主制御基板９２０を収容する２つ割り構造の基板ケース３７１とを備えている。主制御基板９２０は、開封の痕跡を残さずには開封できないように基板ケース３７１に封止されている。
【００３７】
副制御装置３９０は、副制御基板９４０（図９参照）と、副制御基板９４０を収容する２つ割り構造の基板ケース３９１とを備えており、副制御基板９４０は、基板ケース３９１に封止されている。
【００３８】
ここで、遊技盤４００において、基体４０１に設けられ、遊技領域に配置される各種の構造物について詳細に説明する。図６は、遊技盤の一例を表す正面図である。遊技盤４００は、図６に示されたように、遊技球の流下方向や流下速度に変化を与える釘４１１や風車４１２等の流下変化部材と、基体４０１の概ね中央に配置され、進入口（図示せず）から流入した遊技球を第１始動入賞装置４５０の近傍に誘導するセンタフレーム４２０と、センタフレーム４２０の中央の真下に配置された第１始動入賞装置４５０と、第１始動入賞装置４５０に進入した遊技球を検出する始動入賞スイッチ４４０，４４１（図９参照）と、第１始動入賞装置４５０の左下に配置された第２始動入賞装置４３２と、第２始動入賞装置４３２に進入した遊技球を検出する始動入賞スイッチ４４２（図９参照）と、第１始動入賞装置４５０の右方に配置された大入賞装置４３３と、大入賞装置４３３に進入した遊技球を検出する大入賞スイッチ４４３（図９参照）と、始動装置４３６と、始動装置４３６に進入した遊技球を検出する始動スイッチ４４６（図９参照）と、一般入賞装置４３８，４３９と、一般入賞装置４３８，４３９に進入した遊技球を検出する一般入賞スイッチ４４８，４４９（図９参照）と、磁気センサ４９１と、振動センサ４９２とを備えている。センタフレーム４２０、始動装置４３６に進入した遊技球は遊技領域に放出されるが、第１始動入賞装置４５０、第２始動入賞装置４３２、大入賞装置４３３及び一般入賞装置４３８，４３９に進入した遊技球は基体４０１に形成された貫通孔を通して基体４０１の背面側に形成された回収排出通路（図示せず）に案内される。また、第１始動入賞装置４５０、第２始動入賞装置４３２、大入賞装置４３３及び一般入賞装置４３８に進入しなかった遊技球は排出口４０１Ａを通して回収排出路（図示せず）へ案内される。回収排出通路に案内された遊技球は、遊技機１００から遊技機設置設備（図示せず）に設けられた遊技球循環装置に排出される。第１始動入賞装置４５０、第２始動入賞装置４３２、大入賞装置４３３及び一般入賞装置４３８，４３９のいずれかに遊技球が進入した場合には、装置の種類に応じた所定の個数の遊技球が払出装置５４０から払い出されることとなる。
【００３９】
第１始動入賞装置４５０には、２つの始動入賞スイッチ４４０，４４１に対応した２つの誘導路５１，５２と振分機構１４とが設けられている（図１３参照）。第１始動入賞装置４５０に進入した遊技球は、振分機構１４によって２つの誘導路５１，５２に一球ずつ交互に振り分けられる。この第１始動入賞装置４５０による遊技球の振り分けに関する構成については、後述する。
【００４０】
第１始動入賞装置４５０への遊技球の進入は、２つの始動入賞スイッチ４４０，４４１のいずれかによって検出され、振分機構１４による遊技球の振り分けにより２つの始動入賞スイッチ４４０，４４１によって一球ずつ交互に検出される。この２つの始動入賞スイッチ４４０，４４１のうち、一方の始動入賞スイッチ４４１は、第１特別図柄を変動表示させるための第１始動入賞装置４５０を構成し、他方の始動入賞スイッチ４４０は、第２始動入賞装置４３２へ遊技球が進入した場合と同一の特典を遊技者に付与する構成とされている。このため、第１始動入賞装置４５０への遊技球の進入によって、第１始動入賞装置４５０の入賞と第２始動入賞装置４３２の入賞とが交互に発生し得る構成とされている。
【００４１】
第１始動入賞装置４５０及び一般入賞装置４３８，４３９の各々は、それらへの遊技球の進入確率を変化させず、進入した遊技球を基体４０１の背面側へ誘導する構造である。なお、第１始動入賞装置４５０の構成については後述する。遊技機１００は、第２始動入賞装置４３２は、進入確率を変化させる可変入賞装置である。第２始動入賞装置４３２は、進入許容配置である場合には遊技球は可変入賞装置に進入できるが、進入阻止配置である場合には遊技球は第２始動入賞装置４３２に進入できない。第２始動入賞装置４３２は、羽根開閉ソレノイド４６２の作動（図９）に応じて所定の時間だけ進入許容配置に移行する。
【００４２】
また、遊技盤４００は、図６に示されたように、第１特別図柄に係る大当り抽選に伴って、第１特別図柄を変動表示したり、第１特別図柄を抽選結果に応じた停止図柄で確定表示したりする第１特別図柄表示装置４７１と、第２特別図柄に係る大当り抽選に伴って、第２特別図柄を変動表示したり、第２特別図柄を抽選結果に応じた停止図柄で確定表示したりする第２特別図柄表示装置４７２と、センタフレーム４２０に設けられ、第１特別図柄に係る大当り抽選の権利の保留状態を表示する第１特別図柄保留表示装置４７６と、センタフレーム４２０に設けられ、第２特別図柄に係る大当り抽選の権利の保留状態を表示する第２特別図柄保留表示装置４７７とを備えている。第１特別図柄及び第２特別図柄に係る大当り抽選の権利は最大４つずつ保留される。なお、第１特別図柄に係る大当り抽選の権利が最大まで保留されている場合に、第１始動入賞装置４５０に遊技球が進入して当該遊技球が始動入賞スイッチ４４１に検出されたとしてもその遊技球に対して権利は追加されない。同様に、第２特別図柄に係る大当り抽選の権利が最大まで保留されている場合に、第２始動入賞装置４３２に遊技球が進入して当該遊技球が始動入賞スイッチ４４２に検出されるか又は第１始動入賞装置４５０に遊技球が進入して当該遊技球が始動入賞スイッチ４４０に検出されたとしてもその遊技球に対して権利は追加されない。
【００４３】
第１特別図柄表示装置４７１は、複数色で発光可能な２つの発光部４７１Ａ，４７１Ｂで構成されており、主制御基板９２０（図９参照）により表示が制御される。第１特別図柄は、発光部４７１Ａ，４７１Ｂの発光パターン（発光色の組合せ）によって表現される。第２特別図柄表示装置４７２は、第１特別図柄表示装置４７１と同様に、複数色で発光可能な２つの発光部４７２Ａ，４７２Ｂで構成されており、主制御基板９２０（図９参照）により表示が制御される。第２特別図柄は、発光部４７２Ａ，４７２Ｂの発光パターン（発光色の組合せ）によって表現される。第１特別図柄保留表示装置４７６及び第２特別図柄保留表示装置４７７は、それぞれ、２つの単色ＬＥＤ４７６Ａ，４７６Ｂ及び２つの単色ＬＥＤ４７７Ａ，４７７Ｂの発光状態（消灯、点灯、点滅）の組合せによって各種の抽選の権利の保留個数を表示する。
【００４４】
また、遊技盤４００は、センタフレーム４２０に設けられ、普通図柄に係る当り抽選に伴って、普通図柄を変動表示したり、普通図柄を抽選結果に応じた停止図柄で確定表示したりする普通図柄表示装置４７３と、センタフレーム４２０に設けられ、普通図柄に係る当り抽選の権利の保留状態を表示する普通図柄保留表示装置４７８とを備えている。普通図柄に係る当り抽選の権利は最大４つまで保留される。なお、普通図柄に係る当り抽選の権利が最大まで保留されている場合に、始動装置４３６に遊技球が進入したとしてもその遊技球の進入に対して権利は追加されない。
【００４５】
普通図柄表示装置４７３は、複数色で発光可能な２つの発光部４７３Ａ，４７３Ｂで構成されており、主制御基板９２０（図９参照）により表示が制御される。普通図柄は、発光部４７３Ａ，４７３Ｂの発光パターン（発光色の組合せ）によって表現される。また、普通図柄保留表示装置４７８は、２つの単色ＬＥＤ４７８Ａ，４７８Ｂの発光状態（消灯、点灯、点滅）の組合せによって抽選の権利の保留個数を表示する。
【００４６】
また、遊技盤４００は、センタフレーム４２０に設けられ、第１特別図柄及び第２特別図柄のいずれかに係る大当り抽選に伴って、装飾図柄を変動表示したり、装飾図柄を確定表示したりする装飾図柄表示装置４７９を備えている。副制御基板９４０による制御に基づく装飾図柄の変動表示及び確定表示は、主制御基板９２０による第１特別図柄や第２特別図柄の変動表示及び確定表示と実質的に同期している。装飾図柄の変動表示においては、第１特別図柄や第２特別図柄の変動表示より複雑な演出が実行される。
【００４７】
ここで、遊技盤４００の各種の装置の動作について説明する。なお、それらの説明に先立って、各種の遊技状態及び遊技状態間の移行について説明する。通常時の遊技状態（通常遊技状態）は、第１特別図柄及び第２特別図柄に係る大当り当選確率が低確率であり、第１特別図柄や第２特別図柄の変動表示時間が長い遊技状態（以下において、「低確率非時短状態」とも称す）である。遊技状態は、大当りの当選に基づいて変化する。第１特別図柄に係る大当りの種類は、標準確変大当り、突然確変大当り、潜伏確変大当り、標準時短大当り及び突然時短大当りの５種類であり、第２特別図柄に係る大当りの種類は、標準確変大当り、標準時短大当りの２種類である。標準確変大当りや突然確変大当りに当選した場合には、遊技状態は、一旦、大入賞装置４３３が間欠的に進入許容配置となる特別遊技状態に移行し、特別遊技状態の終了後に、第１特別図柄及び第２特別図柄に係る大当り当選確率が通常遊技状態よりも高確率であり、第１特別図柄や第２特別図柄の変動表示時間が通常遊技状態よりも短い遊技状態（以下において、「高確率時短状態」と称す）に移行する。高確率時短状態は、次回の大当りの当選まで維持される。また、潜伏確変大当りに当選した場合には、一旦、特別遊技状態に移行した後に、第１特別図柄及び第２特別図柄に係る大当り当選確率が通常遊技状態よりも高確率であり、第１特別図柄や第２特別図柄の変動表示時間が通常遊技状態と同一である遊技状態（以下において、「高確率非時短状態」と称す）に移行する。高確率非時短状態は、次回の大当りの当選まで維持される。また、標準時短大当りに当選した場合には、特別遊技状態に移行した後に、第１特別図柄及び第２特別図柄に係る大当り当選確率が通常遊技状態と同一の低確率であり、第１特別図柄や第２特別図柄の変動表示時間が通常遊技状態よりも短い遊技状態（以下において、「低確率時短状態」と称す）に移行する。低確率時短状態は、第１特別図柄及び第２特別図柄のいずれかに係る所定の回数（例えば、１００回）の単位表示制御の終了まで維持されるが、その後、遊技状態は通常遊技状態に戻る。なお、高確率時短状態及び高確率非時短状態において大当りした場合には、低確率時短状態及び低確率非時短状態において大当りした場合に比べて、いずれかの確変大当り（標準確変大当り、突然確変大当り、潜伏確変大当り）への振分確率が大きい。以下において、遊技盤４００の各種の装置の動作について概ね時系列に沿って説明する。
【００４８】
主制御基板９２０において、特別図柄（第１特別図柄及び第２特別図柄で共通）に係る当選乱数、特別図柄（第１特別図柄及び第２特別図柄で共通）に係る図柄乱数、停止パターン乱数、各種の変動パターン乱数が生成されており、各種の遊技状態において、第１始動入賞装置４５０に遊技球が進入して当該遊技球が始動入賞スイッチ４４１に検出されると、特別図柄に係る当選乱数、特別図柄に係る図柄乱数及び停止パターン乱数が取得されて、主制御基板９２０のＲＡＭの所定の領域に格納される。このとき、大入賞装置４３３が作動中でない場合において、第１特別図柄及び第２特別図柄の双方が変動表示中や確定表示中でなければ格納の直後に、また、第１特別図柄及び第２特別図柄のいずれかが変動表示中や確定表示中であれば先行して獲得している第１特別図柄に係る全ての大当り抽選の権利及び先行して獲得している及び後続して獲得する第２特別図柄に係る全ての大当り抽選の権利の消化後に、その取得された特別図柄に係る当選乱数に基づいて大当りに当選したか否かが判定される。なお、第１特別図柄に係る大当りの当選確率は、上述のように、現在の遊技状態によって、詳細には、高確率状態（高確率時短状態、高確率非時短状態）であるか低確率状態（低確率時短状態、低確率非時短状態）であるかによって変化し、具体的には、高確率状態における大当りの当選確率は低確率状態における大当りの当選確率よりも高い。大当りに当選した場合には、更に、取得された特別図柄に係る図柄乱数に基づいて第１特別図柄の停止図柄が決定される。この停止図柄の種類によって、標準確変大当り、突然確変大当り、潜伏確変大当り、標準時短大当り及び突然時短大当りのいずれの大当りであるかが決定される。なお、各種の大当りの振分確率は、現在の遊技状態によって、詳細には、高確率状態であるか低確率状態であるかによって変化し、具体的には、いずれかの確変大当り（標準確変大当り、突然確変大当り、潜伏確変大当り）への振分確率が高確率状態において低確率状態よりも高い。一方、大当りに落選したときであって、小当りに当選した場合には、停止図柄として小当り図柄が設定され、小当りにも当選しなかった場合には、停止図柄としてハズレ図柄が設定される。
【００４９】
第１特別図柄に係る大当り抽選の後に、現在の遊技状態、大当り抽選の抽選結果、停止パターン乱数、各種の変動パターン乱数、第１特別図柄及び第２特別図柄に係る大当り抽選の権利の総保留数に基づいて、第１特別図柄の変動表示時間が決定されると共に、装飾図柄の変動パターンが選択される。その後、第１特別図柄表示装置４７１における第１特別図柄の変動表示及び装飾図柄表示装置４７９における装飾図柄の変動表示（変動演出）が開始され、第１特別図柄にあっては変動表示時間に亘って一定のパターンによる変動表示が継続され、装飾図柄にあっては変動表示時間に亘って変動パターンに従った変動表示が実行される。変動表示時間の経過に伴って、第１特別図柄として停止図柄が確定表示され、また、装飾図柄として第１特別図柄の停止図柄に対応する図柄が確定表示される。第１特別図柄及び装飾図柄の確定表示は一定時間に亘って継続される。
【００５０】
第１特別図柄の停止図柄が大当り図柄である場合には、第１特別図柄の確定表示後に、遊技状態は通常モードから特別遊技状態に移行する。特別遊技状態においては、大入賞装置４３３が有する開閉機構が所定の回数だけ間欠的に進入許容配置へ移動する。進入許容配置へ移行した後に、所定の個数（例えば、１０球）の遊技球が大入賞装置４３３に進入した場合及び所定の最大開放時間が経過した場合のいずれかによって、大入賞装置４３３は、進入阻止配置へ移動する。その後、所定の閉鎖時間の経過後に、再度、大入賞装置４３３は進入許容配置へ移行する。この開閉動作が所定の回数だけ繰り返される。大入賞装置４３３の進入許容配置への移行に伴う開閉動作の繰り返し回数や進入許容配置に滞在する最大開放時間等は、大当りの種類（停止図柄の種類）によって変化する。具体的には、標準確変大当り及び標準時短大当りに基づく特別遊技状態において、最大開放時間が２９．５秒であって閉鎖時間が２．０秒である開閉動作が１６回だけ繰り返される。なお、特別遊技状態の開始から１０．０秒の待機時間（オープニング時間）後に、第１回目の進入許容配置への移行が開始され、第１６回目の進入阻止配置への移行から１５．０秒の待機時間（エンディング時間）後に、特別遊技状態が終了する。一方、突然確変大当り、潜伏確変大当り及び突然時短大当りに基づく特別遊技状態において、最大開放時間が０．８秒であって閉鎖時間が２．０秒である開閉動作が２回だけ繰り返される。なお、特別遊技状態の開始から３．２秒の待機時間（オープニング時間）後に、第１回目の進入許容配置への移動が開始され、第２回目の進入阻止配置への移動から３．２秒の待機時間（エンディング時間）後に、特別遊技状態が終了する。特別遊技状態の終了後には、上述のように、今回の大当りの種類に応じた遊技状態に移行する。
【００５１】
また、第１特別図柄の停止図柄が小当り図柄又はハズレ図柄である場合には、遊技状態は、第１特別図柄の確定表示後においても変更されない。但し、小当りに当選している場合には、突然確変大当り、潜伏確変大当り及び突然時短大当りに基づく特別遊技状態の場合と同一の態様で大入賞装置４３３が作動する。
【００５２】
上記においては、第１特別図柄に係る大当り抽選の権利が消化される場合について説明したが、第２特別図柄に係る大当り抽選の権利が消化される場合についても、大当りの種類が上述のように第１特別図柄と第２特別図柄とで異なること及び第２特別図柄に係る大当りの抽選の権利が第１特別図柄に係る大当りの抽選の権利よりも優先して消化されること以外は、第１特別図柄の場合と概ね同一であるために、第１特別図柄及び第２特別図柄をそれぞれ第２特別図柄及び第１特別図柄と入れ替えて読み替えることとして重複する説明を省略する。
【００５３】
各種の遊技状態において、始動装置４３６に遊技球が進入すると、普通図柄に係る当選乱数が取得されて、主制御基板９２０のＲＡＭ（図示せず）の所定の領域に格納される。このとき、第２始動入賞装置４３２が作動中でない場合において、普通図柄が変動表示中や確定表示中でなければ直後に、また、普通図柄が変動表示中や確定表示中であれば先行して獲得している全ての当り抽選の権利の消化後に、その取得された普通図柄に係る当選乱数に基づいて当りに当選したか否かが判定される。当りの当選確率は、判定時の遊技状態によって、具体的には、時短状態（高確率時短状態、低確率時短状態）であるか非時短状態（低確率非時短状態、高確率非時短状態、特別遊技状態）であるかによって変化し、時短状態における当りの当選確率は非時短状態よりも高確率となっている。当りに当選した場合には、停止図柄として所定の当り図柄が設定され、当りに当選しなかった場合には、停止図柄として所定のハズレ図柄が設定される。当り抽選後に、普通図柄の変動表示が開始され、非時短状態にあっては所定の変動表示時間（例えば、３．０秒）に亘って一定のパターンによる変動表示が継続され、時短状態にあっては非時短状態よりも短い所定の変動表示時間（例えば、０．５秒）に亘って通常遊技状態と同一のパターンによる変動表示が継続される。遊技状態に応じた所定の時間の経過に伴って普通図柄として停止図柄が一定時間に亘って確定表示される。
【００５４】
普通図柄の停止図柄が当り図柄である場合には、普通図柄の確定表示後に、第２始動入賞装置４３２の可動羽根４５２が少なくとも１回は進入許容姿勢へ移行する。具体的には、非時短状態における当選の場合には、可動羽根４５２が典型的には所定の回数（例えば、１回）だけ所定の最大開放時間（例えば、０．２秒）に亘って進入許容姿勢へ移行し、時短状態における当選の場合には、可動羽根４５２が典型的には非時短状態よりも多い所定の回数（例えば、３回）だけ非時短状態より長い所定の最大開放時間（例えば、１．９秒）に亘って進入許容姿勢へ移行する。但し、所定の個数（例えば、１０球）の遊技球が第２始動入賞装置４３２に進入した場合には、可動羽根４５２は強制的に進入阻止状態へ移行し、今回の当りの当選に基づく可動羽根４５２の作動が終了する。
【００５５】
遊技盤４００は、各種の構造物の裏側に設けられた盤面発光装置４９０（図９参照）を備えており、盤面発光装置４９０は、副制御基板９４０による制御に基づいて遊技進行に伴う各種の発光演出や発光による状態報知を実行する。
【００５６】
後ブロック１０４について説明する。図７及び図８は、それぞれ、遊技機の一例を表す斜視図及び背面図である。後ブロック１０４は、図４、図７及び図８に示されたように、基体５０１と、中間ブロック１０３に対して基体５０１を開閉自在に支持する支持機構と、基体５０１に取着され、遊技機固定設備（図示せず）から供給される遊技球を貯留する遊技球タンク５１０と、遊技球タンク５１０の下流側において基体５０１に取着され、積層貯留されている遊技球を２条に整流させると共に１段に整列させるタンクレール５２０と、タンクレール５２０の下流側において基体５０１に取着され、タンクレール５２０から流入した遊技球を誘導するケースレール５３０と、ケースレール５３０の下流側において基体５０１に取着され、遊技球の払い出しや遊技球の貸し出しを実行する払出装置５４０と、払出装置５４０の下流側において基体５０１に取着され、払出装置５４０から流出した遊技球を基体５０１に形成された誘導通路（図示せず）に誘導する誘導部材５５０と、払出装置５４０による遊技球の払い出しや遊技球の貸し出しを制御する払出制御装置５６０と、外部電力を各種の装置等で必要とする所定の電圧の電力に変換して出力すると共に、発射操作装置２５０に対する発射操作に基づく遊技球の射出を主制御基板９２０と協同して制御する電源・発射制御装置９００と、払出制御装置５６０及び遊技球貸出装置２９０（図１参照）と遊技機１００の側方に配置されるカードユニット（図示せず）との間の信号を中継する中継装置９５０とを備えている。
【００５７】
基体５０１は、樹脂（例えば、ＡＢＳ樹脂）により一体成型されており、略平坦状のベース部５０２と、ベース部５０２よりも後方に突出した保護カバー部５０３とを含んでいる。保護カバー部５０３は左右側方及び上方が閉鎖されかつ下方の一部のみが開放されている。保護カバー部５０３の背面には、主制御装置３７０及び副制御装置３９０における発熱の放熱性を向上させる多数の通気孔５０２Ａが形成されている。
【００５８】
遊技球タンク５１０は、上方に開口した横長の箱型容器であり、その長手方向の一端から遊技機固定設備の球循環装置（図示せず）から供給される遊技球が逐次補給される。遊技球タンク５１０における遊技球の供給される側と異なる長手方向の一端の底面には開口（図示せず）が形成されている。遊技球タンク５１０の底面は長手方向に緩やかに傾斜し、遊技球タンク５１０に供給された遊技球は開口側に自重によって移動する。また、長手方向と直交する方向（前後方向）に対して更に穏やかに傾斜し、前方側（基体５０１への取り付け面側）に優位に遊技球を誘導する。また、遊技球タンク５１０には、球循環装置から遊技球の供給される一端から中央近傍にかけて少なくとも一部の底部を覆う帯電防止板５１１（図７のみ）が取着されており、帯電防止板５１１は接地電位に接続されている。
【００５９】
タンクレール５２０は、遊技球タンク５１０の下方に取り付けられ、タンクレール５２０には遊技球タンク５１０の開口を通して遊技球が流入する。タンクレール５２０は、仕切り片（図示せず）によって仕切られた２列（２条）の樋状通路（図示せず）を形成する桶状部材５２１と、桶状部材５２１に対して回動自在に軸支され桶状部材５２１を流下する遊技球の球詰まりを防止させながら２条に整流させると共に１段に整列させる一対の整流部材５２２とを備えている。各樋状通路は、下流側に向けて緩やかに傾斜しており、遊技球タンク５１０から流入した側と長手方向の反対側へ遊技球を誘導する。整流部材５２２は遊技球との接触によって振り子のように動作する。
【００６０】
ケースレール５３０は、保護カバー部５０３の一側面部に沿うように縦向きに配置されており、タンクレール５２０からの遊技球が流入する。ケースレール５３０には、遊技球が勢いよく流れないように波状のうねりをもって前後左右に湾曲する２条の球通路（図示せず）が形成されている。また、球通路の上流側には、球切れ検出スイッチ５３９が取着されている。球切れ検出スイッチ５３９は、ケースレール５３０の内部に遊技球が十分にないこと、つまりケースレール５３０よりも上流側で球詰りが発生してケースレール５３０に遊技球が補給されていない場合等を検出する。
【００６１】
払出装置５４０は、遊技球を送り出す送出機構５４１と、送出機構５４１を駆動する払出モータ５４２とを備えている。払出制御装置５６０による制御に基づく払出モータ５４２の作動に応じて、２条の球通路に貯留されている遊技球を交互に放出する。
【００６２】
払出制御装置５６０は、払出制御基板９３０と、払出制御基板９３０を収容する基板ケースとを備えており、払出制御基板９３０は、主制御基板９２０と同様に、開封の痕跡を残さずに開封できないように基板ケースによって実質的に封止されている。
【００６３】
次に、遊技機１００の電気的構成について説明する。図９は、遊技機の電気的構成の一例を表すブロック図である。遊技機１００は、図９に示されたように、電源・発射制御装置９００、電源監視基板９１０、主制御基板９２０、払出制御基板９３０、副制御基板９４０等の制御装置を備えている。なお、図９において、各種の信号を中継するだけの回路装置については省略している。以下に、これらの主要な装置を個別に詳細に説明する。
【００６４】
電源・発射制御装置９００は、遊技機１００の各部に電源供給路（図中の破線）を介して所定の電圧の電力を供給する電源部９０１と、発射操作装置２５０の操作に応じて発射装置３３０の駆動を制御する発射制御部９０２と、初期化スイッチ９０７からの初期化信号や球溢れスイッチ２４９からの球溢れ信号を中継する信号中継部９０３とを備えている。
【００６５】
電源部９０１は、外部より供給される外部電力（例えば、交流２４ボルト）を取り込んで内部電力（例えば、直流２４ボルト）に変換すると共に、その内部電力から各種のソレノイドや各種のモータ等の機器を駆動するための駆動用電圧（例えば、直流１２ボルト）の電力、各種のスイッチを駆動したり制御処理を実行したりするための制御用電圧（例えば、直流５ボルト）の電力、主制御基板９２０のＲＡＭの内容を保持させるためのバックアップ用電圧の電力等を生成して、電源監視基板９１０、主制御基板９２０、払出制御基板９３０、副制御基板９４０等に供給する。具体的には、電源監視基板９１０に対して内部電力、駆動用電圧、制御用電圧及びバックアップ電圧の電力が供給され、主制御基板９２０に対して駆動用電圧、制御用電圧及びバックアップ電圧の電力が電源監視基板９１０の電源監視部９１１を介して供給され、払出制御基板９３０に対して駆動用電圧及び制御用電圧の電力が直接的に供給され、副制御基板９４０に対して駆動用電圧及び制御用電圧の電力が直接的に供給され、発射制御部９０２に対して駆動用電圧及び制御用電圧の電力が供給される。電源部９０１には、電源スイッチ９０９が接続されており、電源スイッチ９０９がオフ状態である場合には外部電力の取り込みが停止される。なお、電源スイッチ９０９をオフ状態にしたり、電源スイッチ９０９を介して電源部９０１に接続される電源プラグ（図示せず）を外部電力の供給コンセント（図示せず）から抜脱したりすることによって遊技機１００の内部への電力の供給が停止している状態や、外部電力自体の供給が停止している状態を「停電状態」と総称する。電源部９０１は、停電状態への移行後においても所定の期間にわたり制御用電圧の電力を正常に出力するように構成されている。これによって、主制御基板９２０は、現在の制御状態に復帰できるように状態を保存して制御を終了させることができる。なお、バックアップ用電圧の電力を供給してＲＡＭの内容を停電状態への移行後においても保持し、停電前の制御状態に復帰可能にするのは、主制御基板９２０に限らず、払出制御基板９３０や副制御基板９４０など、他の基板を含むように構成しても良く、当該他の基板にバックアップ用電圧の電力を電源部９０１より供給しても良い。
【００６６】
発射制御部９０２は、主制御基板９２０と協同して、発射装置３３０（図３参照）の球送りソレノイド３３２及び発射ソレノイド３３４の駆動を制御する。なお、球送りソレノイド３３２及び発射ソレノイド３３４は、所定条件が整っている場合に作動が許可される。具体的には、遊技者が発射ハンドル２５２（図１参照）に触れていることが接触センサ２５４からの接触センサ信号に基づいて検知されていること、発射を停止させるための発射停止スイッチ２５５が操作されていないことを条件に、発射制御部９０２はオン状態の発射許可信号を主制御基板９２０に出力する。また、発射許可信号と発射異常信号とに基づいて主制御基板９２０は発射ソレノイド制御信号及び球送りソレノイド制御信号を発射制御部９０２に出力する。発射制御部９０２は、オン状態の球送り制御信号に基づいて球送りソレノイド３３２を作動させ、オン状態の発射ソレノイド制御信号の受信と可変抵抗器２５３の抵抗値とに基づいて発射ソレノイド３３４を作動させる。これによって、発射装置３３０から可変抵抗器２５３の抵抗値（発射ハンドル２５２の回転操作量）に応じた強さで遊技球が順次に発射される。
【００６７】
信号中継部９０３は、初期化スイッチ９０７が押下された場合に、主制御基板９２０へオン状態の初期化信号を出力する。なお、主制御基板９２０においては、オン状態の初期化信号の受信に応じて主制御基板９２０のＲＡＭに保存された保存情報が初期化されることとなる。また、信号中継部９０３は、球溢れスイッチ２４９が遊技球を検出した場合に、主制御基板９２０へオン状態の球溢れ信号を出力する。なお、主制御基板９２０においては、オン状態の球溢れ信号の検知に基づいて払出制御基板９３０に低速払出信号を出力することとなり、低速払出信号を受信した払出制御基板９３０は、払出モータ５４２の回転速度（払出装置５４０からの遊技球の払出速度）を低速化させることとなる。逆に、オフ状態の球溢れ信号の検知に基づいて払出制御基板９３０に高速払出信号を出力することとなり、低速払出信号を受信した払出制御基板９３０は、払出モータ５４２の回転速度を高速化させることとなる。
【００６８】
電源監視基板９１０は、電源・発射制御装置９００からの電力供給状態を監視し、停電状態への移行に応じて、主制御基板９２０へ停電信号を出力する電源監視部９１１と、電源・発射制御装置９００と主制御基板９２０との間の電力供給及び各種の信号の伝達を中継する信号中継部９１２とを含んでいる。電源監視部９１１は、電源部９０１から出力される最大電圧である直流安定２４ボルトの電圧を監視し、この電圧が２２ボルト未満になった場合に停電状態への移行と判断して、オン状態の停電信号を主制御基板９２０へ出力する。主制御基板９２０は、オン状態の停電信号の受信によって停電状態への移行を認識することとなる。
【００６９】
主制御基板９２０は、遊技機１００の動作を統括的に制御する。主制御基板９２０には、１チップマイコンとしてのＭＰＵ（図示せず）が搭載されている。ＭＰＵは、演算処理装置としてのＣＰＵ（図示せず）と、ＣＰＵにより実行される各種の制御プログラムや固定データを記憶したＲＯＭ（図示せず）と、制御プログラムの実行に際して一時的に各種のデータ等を記憶するＲＡＭ（図示せず）とを含んでいる。主制御基板９２０には、その他、タイマ回路（図示せず）、カウンタ回路（図示せず）、クロック発生回路（図示せず）、信号送受信回路（図示せず）等の各種回路が搭載されている。主制御基板９２０のＲＡＭは、停電状態への移行後においても電源・発射制御装置９００からのバックアップ電圧の電力供給によって内部データを維持（バックアップ）できる構成となっている。
【００７０】
払出制御基板９３０は、主制御基板９２０からの指示に応じた払出装置５４０による遊技球の払い出し動作や遊技球貸出装置２９０の操作に応じた払出装置５４０による遊技球の貸し出し動作を制御する。払出制御基板９３０は、主制御基板９２０と同様に、ＣＰＵ（図示せず）、ＲＯＭ（図示せず）及びＲＡＭ（図示せず）を含む１チップマイコンとしてのＭＰＵ（図示せず）、タイマ回路（図示せず）、カウンタ回路（図示せず）、クロック発生回路（図示せず）、信号送受信回路（図示せず）等の各種回路が搭載されている。なお、払出制御基板９３０のＲＡＭについても、主制御基板９２０のＲＡＭと同様に、停電状態においても内部データを維持できる構成としても良い。
【００７１】
副制御基板９４０は、主制御基板９２０からの指示に基づいて、各種の演出装置や各種の発光装置や各種の音響装置等の動作を制御する。なお、副制御基板９４０のＲＡＭについても、主制御基板９２０のＲＡＭと同様に、停電状態においても内部データを維持できる構成としても良い。
【００７２】
次に、第１始動入賞装置４５０の構成について説明する。図１０は第１始動入賞装置４５０の斜視図であり、図１１は第１始動入賞装置４５０を一部分解した状態を示す部分分解斜視図である。
【００７３】
図１０及び図１１に示すように、第１始動入賞装置４５０は、前方カバー部材１１と、カム保持部材１２と、裏カバー部材１３を備え、それぞれがネジなどによって固定されている。前方カバー部材１１、カム保持部材１２及び裏カバー部材１３は、各々が透明な樹脂材料により一部材として形成されている。
【００７４】
第１始動入賞装置４５０は、カム保持部材１２に回転可能な状態で振分機構１４の一部である回転カム６０を保持させると共に、前方カバー部材１１及び裏カバー部材１３によって回転カム６０の前後方向を挟み込んで覆っている。
【００７５】
図１１及び図１２に示すように、前方カバー部材１１は、第１始動入賞装置４５０の前面を構成する前面被覆部２１を有しており、前面被覆部２１から後方へ向かって経路構成部２３〜２６が突出している。カム保持部材１２は、前方が平坦な前面板３１を有しており、前方カバー部材１１の経路構成部２３〜２６と組み合わされて遊技球が通る誘導路を構成する。
【００７６】
図１３は、前面被覆部２１より僅かに後方を断面とする第１始動入賞装置４５０の断面図を示している。遊技球は、入賞口２２より第１始動入賞装置４５０に入ると、振分機構１４によって右又は左のいずれか一方に振り分けられ、右側誘導路５１又は左側誘導路５２を進行する。なお、振分機構１４の詳細については後述する。
【００７７】
図１３及び図１４では、遊技球が右側誘導路５１に誘導される場合を示している。以下、右側誘導路５１について説明し、左側誘導路５２については左右対称なだけで右側誘導路５１と同様であるため、説明を省略する。右側誘導路５１及び左側誘導路５２の後に続く後方誘導路５３についても同様である。
【００７８】
入賞口２２から進入した遊技球は、振分機構１４の回転カム６０に流下する。回転カム６０は複数の球受部６４Ａ，６４Ｂを有しており、当該入賞口２２の真下である受位置に位置する球受部６４Ａに進入して右側誘導路５１に誘導され、そのまま下方向へ流下し、側面２４ａ及び底面２４ｂを有する経路構成部２４へと誘導される。回転カム６０より前方には、中心から僅かに下向きに折れ曲がる板状の経路構成部２５と、中心から僅かに下向きに折れ曲がる天面部２６ａと側面部２６ｂを有する経路構成部２６が設けられている。経路構成部２５，２６は、遊技球が回転カム６０の受位置以外に位置する球受部６４Ａ，６４Ｂに誤って進入したり、経路構成部２４へ流下する道筋からずれてしまうことを防止し、経路構成部２３と共に遊技球が通過する右側誘導路５１を構成している。
【００７９】
経路構成部２４には、底面２４ｂから上方向に突出し、前面被覆部２１から後方へ向けて下がり傾斜する板状の誘導突出部２７が設けられている。流下した遊技球は、誘導突出部２７に衝突し、当該誘導突出部２７の下がり傾斜に従って後方誘導路５３へ進入し、後方へと誘導される。後方誘導路５３では、カム保持部材１２の前面板３１（図１３及び図１４）から裏面中継部３５へ進入し、遊技球を後方の裏カバー部材１３へと誘導する。
【００８０】
図１５に示すように、カム保持部材１２には、前面板３１から後方へ向けて、裏カバー部材１３へ接続する裏面中継部３５が設けられている。なお図１５では、便宜上、裏カバー部材１３を省略して示している。裏面中継部３５は、前後に抜ける筒状に形成されており、底面３５ａが経路構成部２４の底面２４ｂよりも僅かに（３〜７ｍｍ程度）低く形成されている。底面３５ａには、前方向から後方向へ向けて下がり傾斜する誘導突出部３６が設けられており、進入した遊技球を、誘導突出部３６に沿って後方へ誘導する。
【００８１】
裏面中継部３５の後側には、底面３５ａに連なって中心に孔４１ａを有する始動入賞スイッチ４４０，４４１が設けられており、進入した遊技球を孔４１ａから落下させ、第１始動入賞装置４５０の外部へ排出させる。始動入賞スイッチ４４０，４４１は、例えば、非接触式のセンサ構成でなり、通過する遊技球を検出する。
【００８２】
次に、遊技球を右側誘導路５１又は左側誘導路５２へ振り分ける振分機構１４について説明する。振分機構１４は、回転カム６０と、回転軸７１と、板バネ７５とから構成されている。
【００８３】
図１６〜図１８に示すように、回転カム６０は、中心に中心孔６３を有しており、当該中心孔６３に回転軸７１が貫通され、回転動作を行うようになされている。右側面６１及び左側面６２は、外に向かって縦横の棒部分が幅広になる十字架形状をしており、当該十字架が互い違いに重なって組み合わされている。この結果、左右方向から見る（図１８）と、回転カム６０は全体として略八角形形状を有している。
【００８４】
すなわち、図１６に示すように、回転カム６０は、右側面６１（棒部分）の対向する位置には、左側面６２がなく、逆に左側面６２（棒部分）の対向する位置には右側面がない。この結果、回転カム６０は、右側面６１の存在する部位では、当該右側面６１から左方向に向けて開口して左向きの球受部６４Ａを形成すると共に、左側面６２の存在する部位では、当該左側面６２から右方向へ向けて開口して右向きの球受部６４Ｂを形成し、球受部６４Ａ，６４Ｂが交互に位置している。
【００８５】
球受部６４Ａには、右側面６１の外側端部から左方向へ向けて下り傾斜する傾斜面６５と、当該傾斜面６５の中央に、当該傾斜面６５よりも傾斜が大きく、当該傾斜面から突出する突出部６６が形成されている。また、傾斜面６５の両側には、左方向へ向かって広がるように傾斜する傾斜側面６７が形成され、傾斜面６５及び傾斜側面６７に接続し、開口する右方向へ向けて広がる略台形状を有する底面６８が形成されている。従って、球受部６４Ａは、底面６８から外側方向（段差部６９）へ向けて、台形が徐々に大きくなるような形状をしている。すなわち、傾斜面６５は、回転中心（中心孔６３）に対して近づく方向である中心方向へいくにつれて開口している方向（左方向）へ向かって傾斜している。傾斜側面６７は、底面６８に近づくにつれて球受部６４Ａの中心に近づくよう傾斜しており、回転中心に対して近づくにつれて回転方向において互いに対向する傾斜側面６７間が狭くなっている。また、傾斜側面６７は、右側面６１から開口する方向（左方向）へ向かって球受部６４Ａの中心から遠ざかるように傾斜しており、右側面６１と比して開口部分の面積を広くしている。球受部６４Ｂについては、左右方向が逆なこと以外は同様であるため、説明を省略する。従って、球受部６４Ａに流下する遊技球は左方向へ誘導され、球受部６４Ｂに流下する遊技球は右方向へ誘導されることになる。
【００８６】
ここで、球受部６４Ａ，６４Ｂには、遊技球を左右方向に誘導する傾斜側面６７は、必ずしも球受部６４Ａ，６４Ｂにおいて回転カム６０の動作する円周方向に沿った両側に形成される必要はなく、回転カム６０の中心孔６３に対して前側に位置する球受部６４Ａ，６４Ｂの下側に位置する傾斜側面６７のみが左右方向のいずれかに対して下降傾斜する形状とされていれば良く、反対側に相当する傾斜側面６７については、必ずしも傾斜した形状とする必要はない。また、遊技球を左右方向に誘導する部位は、必ずしも傾斜側面６７のように面形状により構成する必要はなく、左右方向に連続する複数のリブにより遊技球の下側を支持しつつ左右方向のいずれかに誘導する構成とするなど、遊技球を左右方向のいずれかに誘導する誘導部としての機能を有する別の形状により構成しても良い。
【００８７】
図１９（Ａ）に示すように、カム保持部材１２は、回転カム６０より一回り大きいカム貫通孔３３を有している。カム貫通孔３３の左右端面の外側の中央付近には、後方向から前方向へ向かって凹む回転軸保持部３４が形成されている。カム貫通孔３３に対して、後方向から中心孔６３に回転軸７１が貫通された回転カム６０が挿入されると、図１９（Ｂ）に示すように、回転軸７１が回転軸保持部３４に挿入される。なお、図１９（Ｂ）では、説明の便宜上、回転カム６０を省略して示している。
【００８８】
そしてカム保持部材１２の後方向から、カム収納部４３に回転カム６０が収納されるように裏カバー部材１３が被せられると、当該カム収納部４３の前方向中央付近に設けられた突部４４が回転軸保持部３４に挿入され、回転軸７１を固定する。中心孔６３は回転軸７１よりも僅かに大きく形成されているため、回転カム６０は固定された回転軸７１を中心に回転可能に保持されることになる。
【００８９】
この結果、図２０に示すように、回転カム６０は、前方カバー部材１１、カム保持部材１２及び裏カバー部材１３の内部に収納される。回転カム６０の前方向上部には、入賞口２２が位置しており、入賞口２２から流下する遊技球は、回転カム６０のうち、受位置に位置する球受部６４Ａ，６４Ｂ上に落下する。
【００９０】
図２１に示すように、裏カバー部材１３の後方向には、板バネ７５が設置されている。板バネ７５は、例えばステンレスなどの金属薄板を打ち抜き及び折り曲げ加工することにより形成されている。板バネ７５は、ネジ７５Ｗによって裏カバー部材１３に固定される固定部７５ａと、固定部７５ａから延びる細長い矩形状の回転抑止部７５ｂ，７５ｃを有している。回転抑止部７５ｂ，７５ｃは、固定部７５ａから前方向へ向けて折れ曲がる根本部７５ｂｘ，７５ｃｘ、鉛直方向にほぼ平行に折れ曲がる中央部７５ｂｙ，７５ｃｙ、さらに後方向へ向けて折れ曲がる先端部７５ｂｚ，７５ｃｚを有することにより、後方向に広がる底辺のない台形状を有している。
【００９１】
また、図２０に示したように、回転カム６０の右側面６１及び左側面６２の外側端部には、段差部６９が形成されており、球受部６４Ａ，６４Ｂの境界である境界部６９ａが突出し、球受部６４Ａ，６４Ｂの中心付近である中央部６９ｂが凹むことにより、円周方向に広がる底辺のない扁平な台形状の凹みを有している。なお、回転抑止部７５ｂ，７５ｃの折れ曲がり角度と、中央部６９ｂの凹みの深度に制限はなく、回転カム６０の回転動作がスムーズに行えるように適宜選択される。
【００９２】
図２２及び図２３に示すように、板バネ７５は、段差部６９と対向し、当該段差部６９の一部に入り込むように位置している。言い換えると、回転カム６０が回転方向に回転しようとすると、段差部６９の下側が根本部７５ｂｘ，７５ｃｘに当接し、当該回転を抑止することになる。また、段差部６９の上側が先端部７５ｂｚ，７５ｃｚに当接することにより、逆方向への回転を抑止する。そして根本部７５ｂｘ，７５ｃｘ及び先端部７５ｂｚ，７５ｃｚが段差部６９に沿うように配置されて、停止時の回転カム６０の位置がほぼ固定される。これにより、停止時の段差部６９と回転抑止部７５ｂ，７５ｃとの距離を小さく保つことができるため、回転カム６０に何らかの衝撃が加わった場合であっても、段差部６９と回転抑止部７５ｂ，７５ｃとを迅速に接触させて回転カム６０が回転することを防止することができる。
【００９３】
入賞口２２（図２０）から遊技球が流下すると、受位置にあり斜め上方向に向けて開口する球受部６４Ａ又は６４Ｂに遊技球が落下し、その重みで回転カム６０は回転方向に回転する。球受部６４Ａ又は６４Ｂに落下した遊技球は傾斜側面６７及び突出部６６にガイドされ速やかに左右方向の開口部から落下し、右側誘導路５１又は左側誘導路５２へ誘導される。ここで、経路構成部２３の経路下端２３ａ（図１３）は、入賞口２２から下へせり出すように形成されている。従って、受位置にある球受部６４Ａ，６４Ｂと、経路下端２３ａとで構成される右側誘導路５１及び左側誘導路５２への開口部分は、遊技球よりも小さくなっている。このため、回転カム６０が回転動作により下方へ移動した場合のみ、遊技球が右側誘導路５１及び左側誘導路５２へ誘導されることになる。すなわち、回転カム６０は、遊技球を右側誘導路５１及び左側誘導路５２へ誘導するためには回転動作を必須とするため、確実に回転動作を行うことになる。また、球受部６４Ａ，６４Ｂは、その幅（傾斜側面６７間）が遊技球より僅かに大きく形成されているため、遊技球を１個だけしか収納し得ず、例えば２個の遊技球が連続的に入賞口２２に進入した場合であっても、確実に遊技球を球受部６４Ａと球受部６４Ｂに１個ずつ進入させることができる。
【００９４】
また、球受部６４Ａ，６４Ｂが回転することにより下る遊技球は、経路構成部２５（図１２）を経由してから右側誘導路及び左側誘導路に誘導される場合がある。このとき、経路構成部２５が球受部６４Ａ，６４Ｂに加わる遊技球の荷重を引き受けることにより、遊技球の球受部６４Ａ，６４Ｂからの落下が遅く、過回転を引き起こすことを防止することができる。
【００９５】
板バネ７５（図２１及び図２２）は、遊技球の重みによって回転カム６０が回転する際には当該回転カム６０を回転させる一方、遊技球がないフリー状態では回転カム６０を回転させないように弾性力が調整されている。この弾性力は、板バネ７５（すなわち回転抑止部７５ｂ，７５ｃ）の形状や厚みなどに加え、固定部７５ａを係止するネジ７５Ｗの締め付け具合によっても調整される。従って、板バネ７５は、例えば球受部６４Ａに遊技球を落下させると、一つの段差部６９分だけ回転カム６０を回転方向へ回転させ、次の段差部６９を係止して当該回転カム６０の回転を抑止する。その結果、隣接する球受部６４Ｂが受位置に配置される。この結果、球受部６４Ａ，６４Ｂが交互に受位置に位置し、入賞口２２から流下する遊技球を右側誘導路５１及び左側誘導路５２へ交互に誘導することができる。
【００９６】
図２３に示したように、フリー状態では、根本部７５ｂｘ，７５ｃｘが段差部６９の下側を、先端部７５ｂｚ，７５ｃｚが段差部６９の上側（境界部６９ａ）を係止することにより回転カム６０の回転を抑止している。ここで、図２４に示すように、回転カム６０の球受部６４Ａ，６４Ｂは、誘導方向（右又は左）へ向けて広がるように、その境界が水平方向に対して傾斜して形成されている。
【００９７】
例えば、回転カム６０が球受部６４Ａに進入した遊技球の荷重を受ける際（図２４（Ａ）参照）、左側の回転抑止部７５ｃにおける根本部７５ｃｘが境界部６９ａに当接後、右側の回転抑止部７５ｃにおける根本部７５ｂｘが境界部６９ａに当接することになる。回転カム６０は、その回転力により続いて当接するこれら２つの回転抑止部７５ｂ，７５ｃをはね除け、結果として球受部６４Ａ，６４Ｂが回転方向へ１つ分移動する（図２４（Ｂ）参照）。
【００９８】
これにより、回転抑止部７５ｂ，７５ｃを１つだけ設ける場合と比較して、１つの回転抑止部７５ｂ，７５ｃ当たりの弾性を小さめに設定することができ、遊技球の荷重によって回転カム６０を確実に回転させると共に、境界部６９ａが回転抑止部７５ｂ，７５ｃをはね除けたときの反動を小さくして回転をなめらかにすることができ、大きな反動で球受部６４Ａ，６４Ｂが２つ分移動してしまうような回転過多を防止できる。
【００９９】
また、板バネ７５が２つの回転抑止部７５ｂ，７５ｃを有していることにより、当該回転抑止部７５ｂ，７５ｃを２段階に分けて境界部６９ａに当接させることができるため、何らかの衝撃によって回転カム６０がはずみで回転してしまうような事態を未然に防止することができる。
【０１００】
ここで、球受部６４Ａ，６４Ｂが回転方向へ向けて回転する途中で遊技球は右側誘導路５１又は左側誘導路５２へ誘導され、遊技球の荷重は取り除かれる。このため、回転カム６０は、慣性力で回転方向への回転を継続することになる。球受部６４Ａ，６４Ｂが１つ分移動した後（図２４（Ｂ）参照）、左側の回転抑止部７５ｂにおける根本部７５ｂｘが境界部６９ａに当接する。このとき、回転カム６０の慣性力が弱い場合には、根本部７５ｂｘが境界部６９ａに当接することにより、回転カム６０の回転を停止させることができる。一方、回転カム６０の慣性力が強い場合には、根本部７５ｂｘに当接することによっても回転を抑止することができず、そのまま右側の根本部７５ｃｘに当接することになる。
【０１０１】
図２５は、図２３における斜視方向（下前方向）へ見た図を示しており、回転カム６０が回転していない静止状態における根本部７５ｂｘ，７５ｃｘにおける中央部７５ｂｙ、７５ｃｙとの境界部分（すなわち最も中心方向に位置する部分）を実線で示している。図からわかるように、根本部７５ｂｘ，７５ｃｘで当接するタイミングが相違しているため、境界部６９ａに根本部７５ｂｘの位置が回転によって後方向へある程度戻ったタイミングで根本部７５ｃｘが境界部６９ａに当接し、段階的に回転を抑止することができる。
【０１０２】
すなわち、板バネ７５は、慣性力が大きい場合、まず右側面６１又は左側面６２側に位置する根本部７５ｂｘ，７５ｃｘを境界部６９ａに当接させて慣性力を小さくした後、開口部分側に位置する根本部７５ｂｘ，７５ｃｘを境界部６９ａに当接させることにより、確実に回転を抑止することができる。このため、回転抑止部７５ｂ，７５ｃは、慣性力が強い場合であっても、開口部分側に位置する根本部７５ｂｘ，７５ｃｘによって確実に回転を抑止できると共に、当接するときの力を分散させて一方の根本部７５ｂｘ，７５ｃｘに加わる力を抑制でき、板バネ７５としての耐久性を向上させることができる。
【０１０３】
従来のシーソー構造の振分機構では、例えば遊技球を左右へ移動させ、その重みを利用して遊技球を２方向へ振り分ける。シーソー構造では、中央を支点として遊技球を端へ転がらせることにより、てこの原理を利用して振分機構を２方向へ回転させる。このため、球受部にはてこが作用する一定の長さが必要であり、さらに遊技球が端の方へ移動してから回転動作を始めるため、２つの遊技球が連続的に進入すると、当該２つの遊技球を一方向へ振り分けてしてしまう事態が発生してしまっていた。
【０１０４】
振分機構１４は、回転カム６０を一方向にのみ回転させれば良いため、球受部６４Ａ，６４Ｂを小さく設計できると共に、遊技球の重さをダイレクトに作用させて迅速に回転動作を始めるため、２つの遊技球が連続的に進入した場合であっても、当該２つの遊技球を球受部６４Ａ及び球受部６４Ｂへと予め振り分けることができ、確実に遊技球を２方向へ交互に振り分けることができる。
【０１０５】
また、従来のシーソー構造の振分機構では、振分機構を真逆となる２方向へ回転させるため、双方向への回転を担保しなければならず、略対称構成でなる振分機構に対して２つずつセットで調整機構を設ける必要があったり、２方向に対応する構成を必要とするなど回転力の調整機構の設計に制限があった。これに対し、振分機構１４は、回転カム６０を一方向にのみ回転させれば良いため、回転力の調整に自由度があり、またの調整機構（例えば板バネ７５）を１つだけ設ければよいため、構成を簡易にすることができる。
【０１０６】
なお上述した実施の形態においては、入賞口２２から進入した遊技球を右側誘導路５１及び左側誘導路５２へ誘導するようにした場合について述べた。本発明はこれに限らず、２つの方向へ振り分ける機構として、入賞装置以外の構成に使用しても良い。また、回転カム６０の回転動作により、振分機構以外の構成に本発明を利用することもできる。
【０１０７】
また上述した実施の形態においては、回転抑止部として板バネ７５を使用するようにした場合について述べた。本発明はこれに限らず、回転抑止部としての構成に制限はなく、樹脂やゴムなど、種々の材質を用いた種々の形状のものを使用することができる。
【０１０８】
また、上述した実施の形態においては、複数の回転抑止部として回転抑止部７５ｂ，７５ｃを有するようにした場合について述べた。本発明はこれに限らず、回転抑止部としては根本部７５ｂｘ，７５ｃｘさえ有していればよい。例えば、回転抑止部７５ｂ，７５ｃの先端部７５ｂｚ，７５ｃｚが繋がっていたり、根本部７５ｂｘ，７５ｃｘより先端側が存在しなくても良い。ただし、回転抑止部７５ｂ，７５ｃは、遊技球が当接した場合に回転する方向側に対しての回転（正回転）を抑止する正方向側抑止部（根本部７５ｂｘ，７５ｃｘ）と、正回転とは逆側の回転を抑止する逆方向側抑止部（先端部７５ｂｚ，７５ｃｚ）とを有し、正逆両方向の回転を抑止する構成とすることが回転カム６０の回転及び静止を含む動作をより安定させることができて好ましく、正方向側抑止部及び逆方向側抑止部のいずれか又は両方ともに回転カム６０の回転に対して複数箇所の弾性変形部の弾性力が異なるタイミングで作用し、回転方向に作用する力の大きさが回転抑止部毎に異なり、その回転方向に作用する力が最大になるタイミングが回転抑止部毎に異なるようにしても良く、これにより、直線的でなく段階的に（又は変則的に）回転カム６０の回転動作を抑止する抑止力が作用し、回転カム６０の動作を安定させることができて好ましい。
【０１０９】
また、上述した実施の形態においては、回転カム６０の回転中心から最大に離間した外周の一部分に相当する抑止受部に対して円周方向に複数の回転抑止部として回転抑止部７５ｂ，７５ｃが重なり、回転カム６０の外周部分と回転抑止部７５ｂ，７５ｃとが当接する構成としたが、必ずしも回転カム６０の回転中心から最大に離間した一部分を抑止受部に設定する必要はない。例えば、回転カム６０の左右の側面６１，６２のいずれか又は双方に、回転抑止部７５ｂ，７５ｃが当接して回転カム６０の回転を抑止する構成としても良い。かかる場合においても、上述した実施の形態と同様に、複数の回転抑止部７５ｂ，７５ｃが離間した位置に配置され、特に、回転抑止部７５ｂ，７５ｃが回転カム６０の回転軸心に沿った軸方向において離間した位置に配置されることが好ましく、これにより、複数の回転抑止部７５ｂ，７５ｃによって回転カム６０を短時間で安定させることができる。
【０１１０】
さらに上述した実施の形態においては、回転カム６０が合計８つの球受部６４Ａ，６４Ｂを有するようにした場合について述べた。本発明はこれに限らず、回転カム６０のサイズに応じて、適宜必要な数を選択することができる。
【０１１１】
さらに上述した実施の形態においては、回転球受部としての回転カム６０と、弾性部材としての板バネ７５とによって振分機構を構成するようにした場合について述べた。本発明はこれに限らず、その他種々の構成による回転球受部と弾性部材とによって本発明の振分機構を構成しても良く、例えば、遊技球の荷重により回転球受部を一定量回動させる弾性部材の回転抑止部が１箇所に設けられても良いし、３箇所以上に設けられても良い。この場合において、回転抑止部７５ｂ，７５ｃは、正回転と逆回転とにおいて回転し易さを異ならせる構成としても良く、上述した実施の形態においては、板バネ７５の回転抑止部７５ｂ，７５ｃに対して、板バネ７５の固定部分は、回転カム６０が遊技球の進入により回転する正回転方向に対して逆側に連続する先側に位置する構成とされ、回転カム６０が正回転する場合の方が逆に回転する場合に比べて回転し易く構成されていたが、更に、板バネ７５の回転抑止部７５ｂ，７５ｃが回転カム６０の抑止受部に接触する部分の円周方向に対する傾斜角度を正回転側より逆回転側の方が大きくなる設定にして回転カム６０が逆回転を一層し難くなるように構成しても良い。
【０１１２】
また、上述した第１始動入賞装置４５０に係る構成を、上述した実施の形態とは異なる入賞装置に対する遊技球の振分機構に実施しても良く、例えば、入賞装置の内部において遊技球の振り分けを実施する場合における振分機構として実施しても良い。また、遊技球の振り分け先が必ずしも上述した実施の形態と同一の特典を遊技者に付与する構成とする必要はなく、上述した実施の形態とは異なる特典を遊技者に付与する構成としても良い。例えば、振り分け先のいずれか一方又は双方が、上述した始動装置４３６と同様、単に始動条件を成立させる入賞口（入球口）に設定され、所定の抽選は実行されるものの入賞（入球）に応じた賞球が払い出されない構成としても良いし、いずれか一方又は双方が特別図柄又は普通図柄の抽選を受ける始動入賞とはならず、単に賞球が払い出されるだけの入賞口に設定されていても良いし、いずれか一方は遊技者に特典を付与することなく遊技領域に遊技球が戻されるかアウト口に進入することとなる構成としても良い。すなわち、振り分け先のいずれか一方又は双方が、特別図柄の抽選を受けられる始動入賞に対応する誘導路、普通図柄の抽選を受けられる始動入賞に対応する誘導路、並びに、特別図柄に係る抽選及び普通図柄に係る抽選以外の他の特典を受けられる始動入賞に対応する誘導路のいずれに設定されていても良いし、いずれか一方が抽選を受けられない誘導路に設定されていても良い。
【０１１３】
また、上述した第１始動入賞装置４５０に係る遊技球の振分機構に対して、振り分け先において必ずしも全ての遊技球が遊技者に一定の特典を付与する構成とする必要はない。例えば、回転カム６０により遊技球が振り分けられて流下する誘導路５１，５２の下流側にて入賞を発生させる等の一定の特典を付与する入賞通路とその入賞通路から分岐する他の通路とを設け、振り分けられた後において一部の遊技球のみが所定の入賞スイッチに検出されて所定の特典を遊技者に付与する構成であっても良いし、回転カム６０を有する振分機構を複数設けて、複数段階の振り分けを経由して遊技球が進入する誘導路が決定される構成としても良い。また、振り分け先に相当する誘導路５１，５２のいずれか一方の下流側に特別図柄又は普通図柄に係る抽選に当選した場合に遊技球が入球し易い状態に開放される可変入賞装置を設け、他方側の誘導路に、その抽選の契機となる始動入賞を検出する始動入賞スイッチも設けても良く、これにより、一方の誘導路への遊技球の入賞に基づいて抽選が行われ、他方の誘導路へ遊技球が入賞する新たな形態のパチンコ機を提供することができる。
【０１１４】
また、上述した本発明を、上述した実施の形態とは異なるタイプのパチンコ機等に実施しても良い。例えば、一度大当たりすると、それを含めて複数回（例えば２回、３回）大当たり状態が発生するまで、大当たり期待値が高められるようなパチンコ機として実施しても良い。また、大当たり図柄が表示された後に、所定の領域に球が入賞することを必要条件として特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。
【０１１５】
〔上記の各実施の形態から抽出される発明群〕
上記の実施の形態から抽出される発明群の特徴について、必要に応じて効果等を示しながら説明する。なお、以下においては、理解を容易ならしめるために、上記の実施の形態における構成との対応を括弧書きで適宜に示すが、括弧書きの構成に限定されるものではない。
【０１１６】
既述のように、従来の典型的な遊技機において、シーソー構造を用いた振分機構により、進入した遊技球を左右に形成された２つの誘導路に誘導する構成（例えば、特許文献１参照）が知られている。
【０１１７】
従来の遊技機の場合、入賞装置を構成する構造体の動きがパターン化されており、従来とは相違するパターンで遊技球を２つの方向へ交互に導きたいという要求があった。すなわち、２つの遊技球が連続して進入した場合、進入した２つの遊技球は同一方向へ誘導されてしまい、進入した遊技球を必ずしも左右へ交互に振り分けることができない場合が生じていた。また、シーソー構造を成立させるためには、左右方向へある程度の長さの球受部材が必要となり、コンパクトに設計することができないなど、スペース状の制約もあった。これらのことから、振分機構として、新しい構成のものが望まれていた。
【０１１８】
可変入賞装置（第１始動入賞装置４５０）において、入賞口２２に進入した遊技球を交互に左右の誘導路（右側誘導路５１及び左側誘導路５２）へ確実に振り分けるという観点から、以下の特徴Ａ群を抽出でき、回転動作を安定させるという観点から以下の特徴Ｂ群を抽出できる。
【０１１９】
＜特徴Ａ群＞
特徴Ａ１：
進入する遊技球を第１の方向（左方向）へと誘導する第１の球受部（球受部６４Ａ）と、前記遊技球を第２の方向（右方向）へと誘導する第２の球受部（球受部６４Ｂ）とを有し、回転により前記遊技球を受ける受位置へと前記第１の球受部及び前記第２の球受部を交互に移動させる回転球受部（回転カム６０）と、
前記回転球受部を係止する一方、前記遊技球の荷重により前記回転球受部を回転させる弾性部材（板バネ７５）と
を有することを特徴とする。
【０１２０】
なお、第１の球受部及び前記第２の球受部を１つずつ移動させる必要はなく、２つ又は３つ以上ずつ移動させることにより第１の球受部及び第２の球受部を交互に移動させることも含まれるものとする。もちろん、第１の球受部及び前記第２の球受部の間に球受部以外の構造を有していてもよい。
【０１２１】
また、第１の球受部及び第２の球受部を交互に移動させるとは、第１の球受部と第２の球受部とを１つずつ交互に移動させるパターンに限らず、第１の球受部又は第２の球受部のいずれか一方が２つ又は３つ以上連続した後に、他方の球受部に切り替わるパターンを含み、遊技球を２つの方向へ交互に誘導するとは、一球ずつ遊技球の誘導方向が切り替わるパターンに限らず、一方側への遊技球の誘導が複数回連続した後に他方側への誘導に切り替わるパターンを含む。
【０１２２】
また、弾性部材は、回転球受部を係止する第１状態と、該第１状態に対して遊技球の荷重により変形して前記回転球受部の係止状態を解除した第２状態とに変位可能な回転抑止部（根本部７５ｂｘ，７５ｃｘ）を有するものとしても良い。
【０１２３】
特徴Ａ１を有する遊技機であれば、
遊技球の荷重による回転動作によって第１の球受部及び第２の球受部を交互に受位置へ移動させることにより、進入する遊技球を第１及び第２の方向へ交互に誘導することができる。このため、回転カム６０の一方向（回転方向）への回転動作によるこれまでにないパターンで遊技球を２つの方向へ交互に誘導することができる。
【０１２４】
特徴Ａ２：特徴Ａ１を有する遊技機において、
前記回転球受部は、
前記第１の球受部及び前記第２の球受部をそれぞれ複数有する
ことを特徴とする。
【０１２５】
特徴Ａ２を有する遊技機であれば、
第１及び第２の球受部の数を増大させることができるため、一度の回転動作における回転角度を小さくして回転動作に要する時間を短縮でき、進入する遊技球を確実に第１及び第２の方向へ交互に誘導することができる。
【０１２６】
特徴Ａ３：特徴Ａ１又はＡ２を有する遊技機において、
前記弾性部材は、
板バネである
ことを特徴とする。
【０１２７】
特徴Ａ３を有する遊技機であれば、
簡易な構成で回転球受部の回転を制御することができる。
【０１２８】
特徴Ａ４：特徴Ａ１〜Ａ３のいずれかを有する遊技機において、
前記回転球受部は、
前記第１の方向に垂直な第１の側面と前記第２の方向に垂直な第２の側面とが互いに入れ子状に合わさることにより、前記第１の側面及び前記第２の側面と対向する部分が開口している
ことを特徴とする。
【０１２９】
特徴Ａ４を有する遊技機であれば、
進入した遊技球を開口する方向へ確実に誘導することができる。
【０１３０】
特徴Ａ５：特徴Ａ１〜Ａ４のいずれかを有する遊技機において、
前記第１の側面及び前記第２の側面の外側端部は、前記第１の球受部及び前記第２の球受部の境界部分が突出している
ことを特徴とする。
【０１３１】
特徴Ａ５を有する遊技機であれば、
境界部分に前記板バネを係止させることができ、回転球受部の位置を制御させやすくできる。
【０１３２】
特徴Ａ６：特徴Ａ５のいずれかを有する遊技機において、
前記弾性部材は、底辺が開口する台形状を有する
特徴Ａ６を有する遊技機であれば、
境界部分が突出した前記第１の側面及び前記第２の側面の外側端部に沿わせるようにでき、回転球受部の位置を安定させることができる。
【０１３３】
特徴Ａ７：特徴Ａ１〜Ａ６のいずれかを有する遊技機において、
前記第１の球受部は、
前記第１の方向へ向けて広がるように形成され、
前記第２の球受部は、
前記第２の方向へ向けて広がるように形成されている
ことを特徴とする。
【０１３４】
特徴Ａ７を有する遊技機であれば、
遊技球の進行方向へ向けて広がっているため、回転動作によって位置が変化しても、遊技球が引っかかってしまうことなく、スムーズに遊技球を誘導できる。
【０１３５】
特徴Ａ８：特徴Ａ１〜Ａ７のいずれかを有する遊技機において、
前記第１の球受部及び前記第２の球受部は、
前記受位置における前記第１の方向及び前記第２の方向に対する開口部分が、前記遊技球よりも小さい
ことを特徴とする。
【０１３６】
特徴Ａ８を有する遊技機であれば、
回転動作をしない限り遊技球を第１及び第２の方向へ導くことができないため、確実に回転動作を生じさせることができる。
【０１３７】
＜特徴Ｂ群＞
特徴Ｂ１：
複数の球受部（球受部６４Ａ，６４Ｂ）と、前記複数の球受部の配置位置に対応して設けられる抑止受部（境界部６９ａ）とを有し、回転により前記遊技球を受ける受位置へと前記複数の球受部を順次移動させる回転球受部（回転カム６０）と、
前記抑止受部に対して当接することにより前記回転球受部を係止する一方、前記遊技球の荷重により前記回転球受部を回転させる複数の回転抑止部（根本部７５ｂｘ，７５ｃｘ）と
を有し、
前記複数の回転抑止部は、前記回転球受部が回転する場合に前記抑止受部によって変位させられるタイミングをずらす形状とされている
ことを特徴とする。
【０１３８】
特徴Ｂ１を有する遊技機であれば、
回転抑止部を複数設けたことにより、回転抑止部１つ当たりの弾性を小さくして回転球受部の回転動作を安定させることができるため、回転動作を利用した新しいパターンで遊技球を誘導することができる。
【０１３９】
なお、特徴Ｂ１の遊技機において、複数の回転抑止部は、回転球受部が回転する場合に抑止受部によって変位させられるタイミングをずらす形状とされていれば良く、回転球受部が回転する場合に複数の回転抑止部が抑止受部に当接するタイミングを異ならせることによりずらしても良いし、複数の回転抑止部が抑止受部に当接するタイミングは一致し、回転抑止部が変位する動作を異ならせ、一方側が早く変位し、他方側が遅れてゆっくりと変位するようにしても良く、回転抑止部と抑止受部との接触する部分の傾斜角度が異なり、回転球受部の回転方向に作用する力が異なるようにしても良い。
【０１４０】
また、特徴Ｂ１の遊技機において、「前記複数の回転抑止部は、前記回転球受部が回転する場合に前記抑止受部によって変位させられるタイミングをずらす形状とされている」との構成に代えて、又は、その構成に加えて、複数の回転抑止部は、抑止受部に当接して回転球受部の回転方向に作用する力が最大になるタイミングを異ならせる形状とされているとしても良い。
【０１４１】
特徴Ｂ２：特徴Ｂ１を有する遊技機において、
前記回転抑止部は、
固定部から２つに分かれて延びる板バネ状の部材の先端部である
ことを特徴とする。
【０１４２】
特徴Ｂ２を有する遊技機であれば、
２つの回転抑止部があるにも拘わらず一つの固定部を固定するだけで済み、構成を簡易にすることができる。
【０１４３】
特徴Ｂ３：特徴Ｂ１又はＢ２を有する遊技機において、
前記抑止受部は、
前記複数の球受部間に設けられた境界部分であり、
前記抑止受部は、水平方向に対して傾斜している
ことを特徴とする。
【０１４４】
特徴Ｂ３を有する遊技機であれば、
複数の回転抑止部が抑止受部に当接するタイミングをずらすことができるため、はずみなどで回転球受部が誤って回ってしまうことを防止することができる。
【０１４５】
特徴Ｂ４：特徴Ｂ１〜Ｂ３のいずれかを有する遊技機において、
前記球受部は、進入する遊技球を第１の方向（左方向）へと誘導する第１の球受部（球受部６４Ａ）と、前記遊技球を第２の方向（右方向）へと誘導する第２の球受部（球受部６４Ｂ）とを有し、回転により前記遊技球を受ける受位置へと前記第１の球受部及び前記第２の球受部を交互に移動させる
ことを特徴とする。
【０１４６】
特徴Ｂ４を有する遊技機であれば、
回転抑止部によって回転球受部の回転を制御しながら、遊技球を適切な誘導路へと誘導することができる。
【０１４７】
特徴Ｂ５：特徴Ｂ１〜Ｂ４のいずれかを有する遊技機において、
前記弾性部材は、底辺が開口する台形状を有する
特徴Ｂ５を有する遊技機であれば、
境界部分が突出した前記第１の側面及び前記第２の側面の外側端部に沿わせるようにでき、回転球受部の位置を安定させることができる。
【０１４８】
特徴Ｂ６：特徴Ｂ１〜Ｂ５のいずれかを有する遊技機において、
前記回転球受部は、遊技盤に対して略平行かつ略水平な前記第１の方向及び前記第２の方向と垂直な方向を回転方向とし、
前記回転抑止部は、
前記遊技盤の背面方向（後方向）に設けられている
ことを特徴とする。
【０１４９】
特徴Ｂ６を有する遊技機であれば、
遊技球が回転球受部に進入して回転球受部が回転し、第１及び第２の方向へと振り分けられる様子を遊技者に視認させて遊技者を楽しませることができる。また、遊技球の荷重が作用する位置に対して、回転中心を挟んだ反対側にて回転抑止部が抑止受部に当接して回転球受部の回転を抑止する抑止力が作用するので、遊技機の長期間の使用によって回転球受部の回転軸部分が摩耗したとしても、遊技球の荷重が作用する位置と回転の抑止力が作用する位置との相対位置関係が初期の状態から変化し難くしつつ、回転球受部に隠されて遊技者から視認し難い位置に回転抑止部を好適に配置することができるので、見栄えが良く、小型化し易く、且つ、低コストで、従来とは相違するパターンで遊技球を２つの方向へ交互に導く振分機構を実現することができる。
【０１５０】
なお、特徴Ａ１〜Ａ８及び特徴Ｂ１〜Ｂ６に記載の少なくとも１つの特徴を他のいずれか又は複数の特徴に組み合わせて適用しても良い。以下には、上記した各特徴を適用し得る遊技機の基本構成を示す。
【０１５１】
パチンコ遊技機：遊技者が操作する発射操作手段と、その発射操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【産業上の利用可能性】
【０１５２】
本発明は、弾性遊技機などの遊技機に適している。
【符号の説明】
【０１５３】
１１      ：前方カバー部材
１２      ：カム保持部材
１３      ：裏カバー部材
１４      ：振分機構
２１      ：前面被覆部
２２      ：入賞口
２３      ：経路構成部
２３ａ    ：経路下端
３１      ：前面板
３３      ：カム貫通孔
３４      ：回転軸保持部
３５      ：裏面中継部
３５ａ    ：底面
３６      ：誘導突出部
４１      ：始動入賞スイッチ
４１ａ    ：孔
４３      ：カム収納部
４４      ：突部
５１      ：右側誘導路
５２      ：左側誘導路
５３      ：後方誘導路
６０      ：回転カム
６１      ：右側面
６２      ：左側面
６３      ：中心孔
６４Ａ，６４Ｂ：球受部
６９      ：段差部
６９ａ    ：境界部
６９ｂ    ：中央部
７１      ：回転軸
７５      ：板バネ
７５ａ    ：固定部
７５ｂ    ：回転抑止部
７５ｂｘ  ：根本部
７５ｂｙ  ：中央部
７５ｂｚ  ：先端部
７５ｃ    ：回転抑止部
７５ｃｘ  ：根本部
７５ｃｙ  ：中央部
７５ｃｚ  ：先端部
１００    ：遊技機
４００    ：遊技盤
４３２    ：第２始動入賞装置
４５０    ：第１始動入賞装置
【図１】
0006507624.tif 000002
【図２】
0006507624.tif 000003
【図３】
0006507624.tif 000004
【図４】
0006507624.tif 000005
【図５】
0006507624.tif 000006
【図６】
0006507624.tif 000007
【図７】
0006507624.tif 000008
【図８】
0006507624.tif 000009
【図９】
0006507624.tif 000010
【図１０】
0006507624.tif 000011
【図１１】
0006507624.tif 000012
【図１２】
0006507624.tif 000013
【図１３】
0006507624.tif 000014
【図１４】
0006507624.tif 000015
【図１５】
0006507624.tif 000016
【図１６】
0006507624.tif 000017
【図１７】
0006507624.tif 000018
【図１８】
0006507624.tif 000019
【図１９】
0006507624.tif 000020
【図２０】
0006507624.tif 000021
【図２１】
0006507624.tif 000022
【図２２】
0006507624.tif 000023
【図２３】
0006507624.tif 000024
【図２４】
0006507624.tif 000025
【図２５】
0006507624.tif 000026